(57)【要約】【課題】演奏会場、演劇場、式場、宴会場などへの利用が可能になるように装飾性を高めることができ、間仕切りや目隠しとして使用したとき、居住空間やオフィス空間どうしで音声や騒音が洩れることを抑制可能にする。【解決手段】前面側に開口窓を備えたパネル収納枠１と、パネル収納枠１内に重なるように収納された前面パネル２および背面パネル３と、を備え、前面パネル２には複数の透孔７を設け、背面パネル３には透孔７に対応する位置であって、透孔７より小さ目の複数の小透孔８を一定の配置パターンで配置する。【選択図】図１
0003130435.tif 000002
【実用新案登録請求の範囲】
【請求項１】
矩形状の複数枚のパネルを前後で当接して壁面を構成するパネル装置であって、
前面側に配置される前面パネル面には一定の配置パターンの多数の大透孔が開口され、裏面側に配置される背面パネルには前記大透孔に対応する位置で、前記大透孔の領域内に一定の配置パターンで小透孔が開口されてなり、
前記前面パネルの裏面に前記背面パネルを当接することによって、大小の透孔が一体化し幾何学的な図柄を形成することを特徴とするパネル装置。
【請求項２】
前記前面パネルと、背面パネルは、該パネルの周囲を収納枠で固定する状態で当接することを特徴とする請求項１記載のパネル装置。
【請求項３】
前記パネル収納枠の側部または／および上部には、このパネル収納枠内に収納された前面パネルおよび背面パネルを交換可能にするパネル交換用装着口部が設けられていることを特徴とする請求項１又は２に記載のパネル装置。
【考案の詳細な説明】
【技術分野】
【０００１】  本考案は、建物内の空間を装飾したり、間仕切りしたりするのに用いるパネル装置に関する。
【背景技術】
【０００２】  従来から、居住空間やオフィス空間、あるいは式場空間などの建物の空間を、複数に間仕切りし、その間仕切りした空間を目的、用途などの利用形態に合わせて効果的に使用できるようにするパネル装置が種々提案されている（例えば、特許文献１参照）。【０００３】  このパネル装置は、木材、アルミあるいはプラスチックなどを素材とするパネルにより構成され、使用者の好みに合った色のものが選択して用いられる。このパネル装置によれば、各パネルによって仕切られた各空間間で、会話や騒音が洩れることを回避することができる。
【特許文献１】特開平７−２５９２２４号公報
【考案の開示】
【考案が解決しようとする課題】
【０００４】  しかしながら、従来のパネル装置は、間仕切りや目隠しを目的としてのみ設置され、パネル装置全体が単色のありふれたデザインであり、このような無味乾燥なデザインのパネル装置を、例えば人が集まる演奏会場、演劇会場、式場、宴会場、会議場、劇場の舞台などへそのまま利用するには不適当であった。【０００５】  本考案は、かかる従来の問題を解決するためになされたものであり、演奏会場、演劇会場、式場、宴会場などへの利用が可能になるように装飾性を高めることができ、また間仕切りや目隠しとして使用した場合に、居住空間やオフィス空間どうしで音声や騒音の漏れをより効果的に抑制することができるパネル装置を得ることを目的とする。
【課題を解決するための手段】
【０００６】  前記目的達成のために、本考案にかかるパネル装置は、矩形状の複数枚のパネルを前後で当接して壁面を構成するパネル装置であって、  前面側に配置される前面パネル面には一定の配置パターンの多数の大透孔が開口され、裏面側に配置される背面パネルには前記大透孔に対応する位置で、前記大透孔の領域内に一定の配置パターンで小透孔が開口されてなり、前記前面パネルの裏面に前記背面パネルを当接することによって、大小の透孔が一体化し幾何学的な図柄を形成することを特徴とする。
また、前記前面パネルと、背面パネルは、該パネルの周囲を収納枠で固定する状態で当接することを特徴とする。【０００７】  この構成により、パネル収納枠の前方からは、開口窓を通して前面パネルの略全体と、この前面パネルに形成された複数の透孔が看取可能になり、さらにこれらの透孔を通して背面パネルに形成された所定形状およびパターンの複数の小透孔が看取可能となるため、前記パネル収納枠の開口窓、前面パネルの透孔および背面パネルの複数の小透孔が表す凹凸状のデザインが周囲に特異で豪華な雰囲気を醸し出すことができ、通常のオフィス用間仕切りや目隠しとしての利用のほか、演奏会場、演劇会場、式場、宴会場等への装飾的利用が可能になる。また、前記透孔や小透孔は特定周波数領域の騒音吸収機能を持つため、オフィス空間どうしで音声や騒音が漏れるの十分に抑えることができる。【０００８】  また、本考案にかかるパネル装置は、前記パネル収納枠の側部または／および上部に、このパネル収納枠内に収納された前面パネルおよび背面パネルを交換可能にするパネル交換用装着口部を設けたことを特徴とする。【０００９】  この構成により、透孔および小透孔の形状やサイズあるいは配置パターンが異なる前面パネルおよび背面パネルの交換を、パネル交換用装着口部を通して容易、迅速に実行することができる。従って、パネル装置の使用目的や用途、つまり間仕切りや目隠しの外に、特に演奏会、演劇、宴会、儀式などの各雰囲気に合った装飾、デザインに変化を付けることが簡単になる。
【考案の効果】
【００１０】  本考案によれば、パネル装置全体として装飾性を高めることにより演奏会場、演劇会場、式場、宴会場などへの利用を可能にすることに加えて、間仕切りや目隠しとして使用した場合に、居住空間やオフィス空間どうしでの音声や騒音の漏れをより効果的に抑制することができる。
【考案を実施するための最良の形態】
【００１１】  以下に、本考案の実施形態を、図面を参照しながら説明する。
本考案の実施形態によるパネル装置は、基本的に、前面側に開口窓を備えたパネル収納枠と、該パネル収納枠内に重なるように収納された前面パネルおよび背面パネルと、を備え、前記前面パネルに複数の透孔を設け、前記背面パネルに前記透孔に対応する位置であって、該透孔より小さ目の複数の小透孔を一定の配置パターンにて配置した構成である。【００１２】  このため、パネル収納枠の前方からは前面パネルの略全体と、この前面パネルに形成された透孔が看取可能になり、さらにこの透孔を通して背面パネルに形成された所定形状の複数の小透孔が看取可能になる。この結果、前記パネル収納枠の開口窓、前面パネルの複数の透孔および背面パネルの複数の小透孔が表す凹凸状のデザインが周囲に特異で豪華な雰囲気を醸し出すこととなる。【００１３】  また、通常のオフィス空間の間仕切りや目隠しとしての利用のほか、演奏会場、演劇会場、式場、宴会場等への装飾的利用が可能になる。さらに、前記透孔や小透孔は特定周波数領域の騒音吸収機能を持つため、オフィス空間どうしでの音声や騒音の漏れを抑えることができる。【００１４】  本実施形態では、パネル装置がパネル収納枠と、このパネル収納枠内に交換自在に収納された前面パネルおよび背面パネルと、から構成されている。ここでは、説明の都合上、二枚のパネルについて述べたが、三枚以上のパネルであってもよい。三枚以上の場合には、一方が他方に対して前面にあるものを前面パネルと呼び、他方を背面パネルと呼ぶこととする。【００１５】  そして、図１は、本実施形態によるパネル装置のパネル収納枠を示す斜視図、図２は、本実施形態における前面パネルを示す斜視図、図３は、本実施形態における背面パネルを示す斜視図である。
図１において、パネル収納枠１は、例えば雨戸の戸袋のような箱状の形態をなし、後述の前面パネル２および背面パネル３が重ね合わされた状態で収納可能な形状およびサイズをなす。【００１６】  このパネル収納枠１は、前面（正面）側に略四角形で大形の前面開口窓４が形成されている。この開口窓４は、パネル収納枠１における前面パネル２および背面パネル３の収納部分に連通しており、この開口窓４を通して前面パネル２前面の略全部が前方から看取可能になっている。【００１７】  また、このパネル収納枠１は、前面パネル２および背面パネル３をこれらの内外に出し入れするパネル交換用装着口部としての側部開口５および上部開口６を側部および上部にそれぞれ有する。なお、これらの側部開口５および上部開口６の一方または双方を設けることは任意である。
従って、前面パネル２および背面パネル３は、床上に設置されまたは壁面に固定されたパネル収納枠１から側部開口５または上部開口６を通じて、別に用意された他のパネルとの交換が容易になる。【００１８】  一方、前面パネル２は、図２に示すように、全体として矩形（縦長）で肉薄の板材からなる。この板材としては、例えばベニヤ合板、アルミ板や鋼板などの金属板、プラスチック板が用いられ、設置目的や用途に合わせて、表面には文字や図形、あるいは色彩（いずれも図示省略）が施されている。
また、前面パネル２には、所定パターンで複数（ここでは、八個）の透孔７が形成されており、必要に応じ前記文字や色彩などとともに調和の取れたデザインを表現することができる。【００１９】  背面パネル３は、図３に示すように、前面パネル２と同様にベニヤ合板、アルミや鋼板等の金属板、プラスチック板が用いられている。この背面パネル３の表面にも、前面パネル２と同様の文字や図形、あるいは色彩が施されて、デザインの統一性が確保されている。【００２０】  この背面パネル３には、所定のパターンで複数の小透孔８が形成されている。これらの小透孔８は、例えば、所定のパターンに配置した四個の小透孔８を一組として、その複数組（ここでは、八組）がさらに所定のパターンに配置されている。そして、これらの複数組の配置パターンが、前記前面パネル２に形成した透孔７の配置パターンと等しくされている。【００２１】  また、各組の前記四個ずつの小透孔８は、前記透孔７のサイズ内に収まる位置に設けられている。従って、前面パネル２に背面パネル３を重ね合わせたとき、各組の小透孔８は各一の透孔７内にそれぞれ臨み、前面パネル２をこれの正面に向かって看取したとき、前記絵柄のデザインなどとともに、透孔７および小透孔８による凹凸感が特異な立体的デザインを表すこととなる。【００２２】  従って、前記前面パネル２および背面パネル３が、図１に示すように重なり合った状態にてパネル収納枠１内に収納された場合に、このパネル収納枠１の前方からは、所定パターンで配置された透孔７および小透孔８が同時に看取できる。このため、これらの各透孔７、８がパネル装置上に芸術性および装飾性の高い凹凸デザインを具現することとなる。【００２３】  なお、各図において、透孔７、８が円形である場合を示したが、三角形、四角形以上の多角形、星形、ハート形、雲形など任意の形状としてもよい。これにより、パネル装置の装飾効果をさらに高めることができる。この場合にも、各透孔７、８のサイズは前記デザイン上の観点から、透孔７＞小透孔８の関係にすることが望ましい。【００２４】  前記構成になるパネル装置は、居住空間やオフィス空間等を仕切るために利用するほか、オフィス空間内を区画するパーティーションや、演奏会場、演劇会場や各種の式場における装飾的な置物としての利用も可能になる。【００２５】  また、このパネル装置では、各透孔７、８を吸音孔として機能させることが可能であり、前記演奏会場や演劇場等における音響の無用な乱反射を防止して、その音声を聴衆に聞き取り易くすることができるほか、人の耳に煩わしい周波数領域の騒音を分離して効果的に吸収させることができる。従って、場内における良好な音場創成が可能になる。【００２６】  以上のように、本実施形態では、前面側に開口窓４を備えたパネル収納枠１と、該パネル収納枠１内に重なるように収納された前面パネル２および背面パネル３と、を備え、前面パネル２に複数の透孔７を設け、背面パネル３に、透孔７に対応する位置であって、該透孔７より小さ目の複数の小透孔８を一定の配置パターンに配置したことにより、パネル収納枠１の前方からは前面パネル２の略全体と、この前面パネル２に形成された透孔７が看取可能になり、さらにこ��透孔７を通して背面パネル３に形成された所定形状の複数の小透孔８が看取可能になる。この結果、前記パネル収納枠１の開口窓４、前面パネル２の透孔７および背面パネル３の複数の小透孔８が表す凹凸状のデザインが周囲に特異で豪華な雰囲気を醸し出すことができる。【００２７】  また、通常のオフィス用間仕切りや目隠しとしての利用のほか、演奏会場、演劇会場、式場、宴会場等への装飾的利用が可能になる。さらに、前記透孔７や小透孔８は特定周波数領域の騒音吸収機能を持つため、例えばオフィス空間どうしでの音声や騒音の漏れを低レベルに抑えることができる。
【産業上の利用可能性】
【００２８】  本考案のパネル装置は、演奏会場、演劇会場、式場、宴会場などへの利用が可能になるように装飾性を高めることができ、また間仕切りや目隠しとして使用した場合に、居住空間やオフィス空間どうしで音声や騒音の漏れをより効果的に抑制することができるという効果を有し、建物内の空間を間仕切りするのに用いるパネル装置等として有用である。
【図面の簡単な説明】
【００２９】
【図１】  本考案の実施形態によるパネル装置のパネル収納枠を示す斜視図である。
【図２】  本考案の実施形態における前面パネルを示す斜視図である。
【図３】  本考案の実施形態における背面パネルを示す斜視図である。
【符号の説明】
【００３０】  １…パネル枠
２…前面パネル
３…背面パネル
４…開口窓
５…側部開口（パネル交換用装着口部）
６…上部開口（パネル交換用装着口部）
７…透孔
８…小透孔
【図１】
0003130435.tif 000003
【図２】
0003130435.tif 000004
【図３】
0003130435.tif 000005